(57)【要約】【課題】使い勝手を向上した記録装置を提供すること。【解決手段】記録装置は、液体を収容する注入容器９１から液体を注入可能な記録装置であって、液体を用いて媒体に記録する記録部１７と、記録部に供給される液体を収容する液体収容体２１と、記録部と液体収容体とを搭載し、媒体に対して走査するキャリッジ１８と、注入容器を支持するための支持部３１と、を備え、液体収容体は、注入容器から液体が注入されるための注入部２４を有し、支持部は、液体収容体に液体を注入する姿勢となる注入容器を支持する。【選択図】図６
2020185758.tif 000002
【特許請求の範囲】
【請求項１】
液体を収容する注入容器から液体を注入可能な記録装置であって、
液体を用いて媒体に記録する記録部と、
前記記録部に供給される液体を収容する液体収容体と、
前記記録部と前記液体収容体とを搭載し、前記媒体に対して走査するキャリッジと、
前記注入容器を支持するための支持部と、を備え、
前記液体収容体は、前記注入容器から液体が注入されるための注入部を有し、
前記支持部は、前記液体収容体に液体を注入する姿勢となる前記注入容器を支持することを特徴とする記録装置。
【請求項２】
前記支持部は、前記注入容器が差し込まれる凹部であり、
前記凹部は、前記液体収容体の上部に設けられ、
前記注入部は、前記凹部内に設けられることを特徴とする請求項１に記載の記録装置。
【請求項３】
前記凹部は、前記記録装置の前方を向くように設けられることを特徴とする請求項２に記載の記録装置。
【請求項４】
前記液体収容体は、前記注入部を露出させる開き位置と前記注入部を覆う閉じ位置との間で変位可能なカバー部材を有し、
前記支持部は、前記開き位置に位置する前記カバー部材であることを特徴とする請求項１に記載の記録装置。
【請求項５】
前記カバー部材は、前記液体収容体に液体を注入する姿勢となる前記注入容器と接触する支持面を有し、
前記支持面は、凹むように湾曲する面であることを特徴とする請求項４に記載の記録装置。
【請求項６】
前記キャリッジを収容する筐体と、
前記筐体に取り付けられるカバーと、を備え、
前記カバーは、前記筐体内を露出させる露出位置と前記筐体内を露出させない遮蔽位置との間で変位可能に構成され、
前記支持部は、前記カバーに設けられ、前記注入容器の一部分を引っ掛けることが可能な窪みであることを特徴とする請求項１に記載の記録装置。
【発明の詳細な説明】
【技術分野】
【０００１】
本発明は、記録装置に関する。
【背景技術】
【０００２】
特許文献１には、液体を注入可能な液体収容体を備える記録装置が記載されている。この記録装置においては、例えば液体収容体に収容される液体が僅少になった場合に、ユーザーは、注入容器から液体を液体収容体に注入する。
【先行技術文献】
【特許文献】
【０００３】
【特許文献１】特開２０１９−４３０１９号公報
【発明の概要】
【発明が解決しようとする課題】
【０００４】
特許文献１の記録装置において、ユーザーは、注入容器から液体収容体に液体を注入する場合に、注入容器を支え続ける必要がある。注入容器を支え続けることは、ユーザーにとって手間な作業となる。
【課題を解決するための手段】
【０００５】
上記課題を解決する記録装置は、液体を収容する注入容器から液体を注入可能な記録装置であって、液体を用いて媒体に記録する記録部と、前記記録部に供給される液体を収容する液体収容体と、前記記録部と前記液体収容体とを搭載し、前記媒体に対して走査するキャリッジと、前記注入容器を支持するための支持部と、を備え、前記液体収容体は、前記注入容器から液体が注入されるための注入部を有し、前記支持部は、前記液体収容体に液体を注入する姿勢となる前記注入容器を支持する。
【図面の簡単な説明】
【０００６】
【図１】記録装置の一実施形態を示す斜視図。
【図２】カバーが露出位置に位置するときの記録装置の斜視図。
【図３】カバー部材が開き位置に位置するときのキャリッジ及び液体収容体の斜視図。
【図４】カバー部材が開き位置に位置するときのキャリッジ及び液体収容体の断面図。
【図５】カバー部材が閉じ位置に位置するときのキャリッジ及び液体収容体の斜視図。
【図６】注入容器から液体収容体に液体を注入するときの断面図。
【図７】注入容器から液体収容体に液体を注入するときの正面図。
【図８】第１変更例における記録装置の斜視図。
【図９】第２変更例における記録装置の斜視図。
【図１０】第３変更例においてカバー部材が開き位置に位置するときのキャリッジ及び液体収容体の斜視図。
【図１１】第３変更例において注入容器から液体収容体に液体を注入するときの斜視図。
【図１２】第３変更例において注入容器から液体収容体に液体を注入するときの断面図。
【図１３】第４変更例における記録装置の斜視図。
【発明を実施するための形態】
【０００７】
以下、記録装置の一実施形態について図を参照しながら説明する。記録装置は、例えば、用紙等の媒体に液体の一例であるインクを吐出することによって、文字、写真等の画像を記録するインクジェット式のプリンターである。
【０００８】
図１に示すように、記録装置１１は、筐体１２と、筐体１２に取り付けられるカバー１３とを備える。本実施形態において、カバー１３は、筐体１２の上部に取り付けられる。カバー１３は、筐体１２内を露出させる露出位置と、筐体１２内を露出させない遮蔽位置との間で変位可能に構成される。図１においてカバー１３は、遮蔽位置に位置する。記録装置１１は、カバー１３に代えて、画像を読み取るスキャナーを備えてもよい。この場合、スキャナーは、露出位置と遮蔽位置との間で変位可能に構成される。
【０００９】
記録装置１１は、ユーザーが記録装置１１を操作するための操作部１４を備える。操作部１４は、例えば、情報を表示する表示画面１５と、操作に関する指示を記録装置１１に与えるための操作ボタン１６とを有する。本実施形態において、操作部１４は、筐体１２の前面に位置する。
【００１０】
記録装置１１は、液体を用いて媒体９９に記録する記録部１７を備える。記録部１７は、筐体１２に収容される。記録部１７は、例えば媒体９９に向けて液体を吐出するヘッドである。記録部１７は、筐体１２内を搬送される媒体９９に液体を吐出することにより、媒体９９に画像を記録する。
【００１１】
記録装置１１は、後述する注入容器９１から液体を注入可能に構成される。記録装置１１に液体が適宜補充されることによって、媒体９９への記録を継続できる。
記録装置１１は、例えば、筐体１２の前面とは反対の面である筐体１２の後面から媒体９９が供給可能に構成される。本実施形態において、媒体９９は、筐体１２内において筐体１２の後面から筐体１２の前面に向かう方向へ搬送される。
【００１２】
記録装置１１は、記録部１７を搭載するキャリッジ１８を備える。キャリッジ１８は、筐体１２に収容される。キャリッジ１８は、媒体９９に対して走査する。すなわち、記録装置１１は、いわゆるシリアルプリンターである。
【００１３】
本実施形態の記録装置１１は、排出カバー１９を備える。排出カバー１９は、筐体１２の前面に位置する。排出カバー１９は、筐体１２に取り付けられ、筐体１２に対して開閉可能に構成される。図１において排出カバー１９は、閉じている。排出カバー１９が開くと、記録装置１１は、筐体１２内において記録された媒体９９を排出可能な状態となる。記録された媒体９９は、記録装置１１の前方へ排出される。
【００１４】
図２に示すように、本実施形態のカバー１３は、筐体１２に対して開閉可能に構成される。カバー１３が開くと、筐体１２内が露出される。図２においてカバー１３は、露出位置に位置する。カバー１３は、例えばその後端を軸に回転することによって開閉する。そのため、カバー１３が露出位置に位置する場合、ユーザーにとっては、記録装置１１の前方から筐体１２内を見やすい。
【００１５】
記録装置１１は、記録部１７に供給される液体を収容する液体収容体２１を備える。すなわち、液体収容体２１に収容される液体が、記録部１７に供給される。液体収容体２１は、キャリッジ１８に搭載される。液体収容体２１は、液体を注入可能に構成される。本実施形態においては、１つの液体収容体２１がキャリッジ１８に搭載される。
【００１６】
筐体１２は、液体収容体２１を露出させる窓２２を有する。窓２２は、筐体１２の前面に位置する。窓２２は、キャリッジ１８がホームポジションに位置する場合に、液体収容体２１を露出させる。すなわち、窓２２は、キャリッジ１８のホームポジションと対応する位置に設けられる。ホームポジションとは、キャリッジ１８が待機する位置である。キャリッジ１８は、例えば、記録部１７が媒体９９に記録しない場合にホームポジションに位置する。
【００１７】
液体収容体２１は、例えば透明又は半透明の樹脂によって構成される。そのため、ユーザーは、窓２２を通じて液体収容体２１を視認することによって、液体収容体２１が収容する液体の残量を把握できる。
【００１８】
図３及び図４に示すように、本実施形態のキャリッジ１８は、液体収容体２１を露出させる開口２３を有する。開口２３は、キャリッジ１８がホームポジションに位置する場合に、筐体１２の前方から見たときに窓２２と重なる。そのため、ユーザーは、窓２２及び開口２３を通じて、液体収容体２１を視認できる。
【００１９】
図４に示すように、液体収容体２１は、注入容器９１から液体が注入されるための注入部２４を有する。注入容器９１は、液体を収容する容器である。液体収容体２１においては、注入部２４を通じて液体が注入される。注入部２４は、例えば液体収容体２１の上部に位置する。本実施形態の注入部２４は、液体収容体２１の上部において、上方及び前方に向かうように斜めに延びる。そのため、ユーザーにとっては、記録装置１１の前方から液体収容体２１に液体を注入しやすい。
【００２０】
図４及び図５に示すように、液体収容体２１は、カバー部材２５を有してもよい。カバー部材２５は、注入部２４を露出させる開き位置と、注入部２４を覆う閉じ位置との間で変位可能に構成される。図４においてカバー部材２５は、開き位置に位置する。図５においてカバー部材２５は、閉じ位置に位置する。カバー部材２５が開き位置に位置する場合に、液体収容体２１に液体を注入可能となる。すなわち、カバー部材２５が開き位置に位置することによって、注入部２４を通じて注入容器９１から液体収容体２１に液体を注入可能となる。
【００２１】
カバー部材２５は、液体収容体２１において固定される基端部分２５Ａと、液体収容体２１において変位可能な先端部分２５Ｂとを有する。本実施形態のカバー部材２５は、基端部分２５Ａを軸に回転可能に構成される。基端部分２５Ａは、液体収容体２１の上部において固定される。基端部分２５Ａは、液体収容体２１の上部において、注入部２４よりも前方に位置する。
【００２２】
カバー部材２５が閉じ位置に位置する場合、先端部分２５Ｂは、注入部２４を覆う。カバー部材２５が注入部２４を覆うことによって、液体収容体２１に収容される液体が蒸発することを抑制できる。先端部分２５Ｂには、挿入穴２６が設けられている。カバー部材２５が閉じ位置に位置する場合に、挿入穴２６に注入部２４が挿入される。
【００２３】
本実施形態において、液体収容体２１の上部には、凹部２７が設けられる。注入部２４は、凹部２７内に設けられる。凹部２７は、カバー部材２５が閉じ位置に位置する場合に、先端部分２５Ｂを収容する。
【００２４】
カバー部材２５は、基端部分２５Ａを中心に先端部分２５Ｂが凹部２７に近づくように回転されることによって、閉じ位置に変位する。カバー部材２５は、基端部分２５Ａを軸に先端部分２５Ｂが凹部２７から離れるように回転されることによって、開き位置に変位する。
【００２５】
図６及び図７に示すように、記録装置１１は、注入容器９１を支持するための支持部３１を備える。支持部３１は、液体収容体２１に液体を注入する姿勢となる注入容器９１を支持する。注入容器９１は、支持部３１に支持されることによって、液体収容体２１に液体を注入する姿勢で維持される。そのため、ユーザーは、液体収容体２１に液体を注入する際に、注入容器９１を支え続ける必要がない。これにより、記録装置１１の使い勝手が向上する。
【００２６】
図６に示すように、注入容器９１は、液体を収容する容器本体９２と、液体を注入するための注入口９３とを有する。注入口９３に注入部２４が挿入されることによって、注入容器９１から液体収容体２１に液体が注入される。そのため、注入容器９１において、液体収容体２１に液体を注入する姿勢とは、注入口９３に注入部２４が挿入された姿勢である。このとき、注入容器９１は、注入口９３が下を向く姿勢となる。
【００２７】
容器本体９２は、注入口９３に向けて窄むような形状とされてもよい。本実施形態の容器本体９２は、注入口９３に向けて窄む部分である第１窄み部分９２Ａと第２窄み部分９２Ｂとを有する。すなわち、本実施形態の容器本体９２は、注入口９３に向けて２段階に窄むような形状とされている。容器本体９２は、注入口９３に向けて段階的に窄むような形状に限らず、注入口９３に向けて徐々に窄むような形状とされてもよい。
【００２８】
第２窄み部分９２Ｂは、第１窄み部分９２Ａよりも注入口９３に近い。容器本体９２が注入口９３に向けて窄むような形状とすることによって、注入容器９１から液体収容体２１に液体を注入する際に、容器本体９２から注入口９３に液体が流れやすくなる。特に、液体を注入する姿勢において容器本体９２が、第１窄み部分９２Ａ及び第２窄み部分９２Ｂが注入口９３に向けて下方に傾斜する、又は水平となるような形状である場合、容器本体９２から注入口９３に向けて液体がより流れやすくなる。
【００２９】
本実施形態において、支持部３１は、開き位置に位置するカバー部材２５である。開き位置に位置するカバー部材２５は、注入口９３に注入部２４が挿入された状態の注入容器９１を支持する。このとき、注入容器９１は、開き位置に位置するカバー部材２５にもたれかかるような姿勢となる。カバー部材２５が支持部３１を兼ねることによって、記録装置１１の構成を簡易にできる。
【００３０】
カバー部材２５は、例えば、閉じ位置を基準として、予め決められた所定角度だけ回転できるように構成される。カバー部材２５は、閉じ位置から所定角度だけ回転すると、開き位置に位置する。カバー部材２５は、閉じ位置から開き位置に変位する際、図６において反時計回りとなる方向に回転する。カバー部材２５は、開き位置に位置する場合に、反時計回り方向への回転を制限される。そのため、カバー部材２５は、開き位置に位置する場合に、注入容器９１の荷重を受けることができる。カバー部材２５は、液体を注入する姿勢となる注入容器９１に接触することによって、注入容器９１を支持する。本実施形態において、カバー部材２５は、注入容器９１を支持する場合に、容器本体９２に接触する。
【００３１】
カバー部材２５は、液体収容体２１に液体を注入する姿勢となる注入容器９１と接触する支持面２８を有してもよい。本実施形態の支持面２８は、凹むように湾曲する面である。本実施形態において、注入容器９１は円柱形状である。そのため、支持面２８によって注入容器９１を安定した状態で支持できる。支持面２８が平坦な面である場合には、角柱形状の注入容器９１を安定した状態で支持できる。支持面２８は、注入容器９１の形状に沿うような形状であると、注入容器９１を安定した状態で支持できる。
【００３２】
次に、本実施形態の作用及び効果について説明する。
（１）支持部３１は、液体収容体２１に液体を注入する姿勢となる注入容器９１を支持する。そのため、液体を注入する際に注入容器９１をユーザーが支え続ける必要がない。これにより、記録装置１１の使い勝手が向上する。
【００３３】
（２）支持部３１は、開き位置に位置するカバー部材２５である。カバー部材２５が支持部３１を兼ねることによって、支持部３１を別途設ける構成と比べて、記録装置１１の構成を簡易にできる。
【００３４】
（３）支持面２８は、凹むように湾曲する面である。例えば注入容器９１が円柱形状である場合に、カバー部材２５は、支持面２８によって注入容器９１を安定した状態で支持できる。
【００３５】
本実施形態は、以下のように変更して実施することができる。本実施形態及び以下の変更例は、技術的に矛盾しない範囲で互いに組み合わせて実施することができる。
・図８に示すように、支持部３１は、筐体１２に設けられてもよい。例えば、支持部３１は、筐体１２の上部に設けられる。この第１変更例において、支持部３１は、筐体１２においてキャリッジ１８のホームポジションと対応する位置に設けられる。こうすると、支持部３１は、キャリッジ１８がホームポジションに位置する場合に、液体収容体２１に液体を注入する姿勢となる注入容器９１を支持できる。このとき、注入容器９１は、支持部３１にもたれかかるような姿勢となる。支持部３１は、容器本体９２に接触することによって注入容器９１を支持する。
【００３６】
・図９に示すように、支持部３１は、カバー１３に設けられてもよい。この第２変更例において、支持部３１は、注入容器９１の一部分を引っ掛けることが可能な窪みである。支持部３１は、カバー１３においてキャリッジ１８のホームポジションと対応する位置に設けられる。注入容器９１は、例えば、容器本体９２から延びるフック９４を有する。フック９４が支持部３１に引っ掛けられることによって、液体収容体２１に液体を注入する姿勢で注入容器９１が支持される。すなわち、液体収容体２１に液体を注入する際、注入容器９１は、支持部３１に吊り下げられるような姿勢となる。
【００３７】
この第２変更例によれば、以下の効果を得ることができる。
（４）注入容器９１は、その一部分が窪みである支持部３１に引っ掛けられるだけで、液体収容体２１に液体を注入する姿勢で支持される。これにより、記録装置１１の使い勝手が向上する。
【００３８】
・図１０、図１１及び図１２に示すように、支持部３１は、注入容器９１が差し込まれる凹部２７で構成されてもよい。この第３変更例において、凹部２７は、カバー部材２５が閉じ位置に位置する場合にはカバー部材２５の先端部分２５Ｂを収容し、液体収容体２１に液体を注入する場合には容器本体９２の一部を収容する。凹部２７は、記録装置１１の前方を向くように構成されてもよい。この場合、ユーザーは、注入容器９１を記録装置１１の前方から凹部２７に差し込みやすくなる。
【００３９】
注入口９３に注入部２４が挿入されると、容器本体９２の一部が凹部２７に差し込まれる。このとき、容器本体９２の周面が凹部２７の周面に接触する。第３変更例においては、容器本体９２において第１窄み部分９２Ａと第２窄み部分９２Ｂとの間の部分が凹部２７の周面に接触する。これにより、注入容器９１は、液体収容体２１に液体を注入する姿勢で凹部２７により支持される。
【００４０】
この第３変更例によれば、以下の効果を得ることができる。
（５）支持部３１は、注入容器９１が差し込まれる凹部２７である。この場合、注入容器９１は、凹部２７に差し込まれるだけで、液体収容体２１に液体を注入する姿勢で支持される。これにより、記録装置１１の使い勝手が向上する。
【００４１】
（６）凹部２７は、記録装置１１の前方を向くように設けられる。そのため、ユーザーにとって、注入容器９１を記録装置１１の前方から凹部２７に差し込みやすくなる。これにより、記録装置１１の使い勝手が向上する。
【００４２】
・図１３に示すように、キャリッジ１８は、複数の液体収容体２１を搭載してもよい。この第４変更例において、キャリッジ１８は、６つの液体収容体２１を搭載する。６つの液体収容体２１は、例えば、それぞれ異なる種類の液体を収容する。６つの液体収容体２１は、筐体１２の後面から前面に向かう方向に並ぶように配列されている。
【００４３】
第４変更例においては、窓２２は、筐体１２の前面と隣り合う面である筐体１２の側面に設けられる。窓２２は、キャリッジ１８がホームポジションに位置する場合に、６つの液体収容体２１のすべてを露出させる。第４変更例において、支持部３１は、第１変更例のように筐体１２の上部に設けられてもよいし、第３変更例のように凹部２７が兼ねてもよい。
【００４４】
・カバー部材２５の基端部分２５Ａは、液体収容体２１の上部において、注入部２４よりも後方に位置してもよい。
・カバー部材２５は、液体収容体２１に対して着脱可能でもよい。
【００４５】
・支持部３１は、例えばキャリッジ１８に設けられてもよい。
・媒体９９は、プラスチックフィルム、金属フィルム及び布帛などでもよい。
・記録部１７が吐出する液体はインクに限らず、例えば機能材料の粒子が液体に分散又は混合されてなる液状体などでもよい。例えば、記録部１７が液晶ディスプレイ、エレクトロルミネッセンスディスプレイ及び面発光ディスプレイの製造などに用いられる電極材または画素材料などの材料を分散または溶解のかたちで含む液状体を吐出してもよい。
【００４６】
以下に、上述した実施形態及び変更例から把握される技術的思想及びその作用効果を記載する。
（Ａ）記録装置は、液体を収容する注入容器から液体を注入可能な記録装置であって、液体を用いて媒体に記録する記録部と、前記記録部に供給される液体を収容する液体収容体と、前記記録部と前記液体収容体とを搭載し、前記媒体に対して走査するキャリッジと、前記注入容器を支持するための支持部と、を備え、前記液体収容体は、前記注入容器から液体が注入されるための注入部を有し、前記支持部は、前記液体収容体に液体を注入する姿勢となる前記注入容器を支持する。
【００４７】
この構成によれば、液体収容体に液体を注入する姿勢となる注入容器を支持部が支持するため、液体を注入する際に注入容器をユーザーが支え続ける必要がない。これにより、記録装置の使い勝手が向上する。
【００４８】
（Ｂ）上記記録装置において、前記支持部は、前記注入容器が差し込まれる凹部であり、前記凹部は、前記液体収容体の上部に設けられ、前記注入部は、前記凹部内に設けられてもよい。
【００４９】
この構成によれば、注入容器は、凹部に差し込まれるだけで、液体収容体に液体を注入する姿勢で支持される。これにより、記録装置の使い勝手が向上する。
（Ｃ）上記記録装置において、前記凹部は、前記記録装置の前方を向くように設けられてもよい。
【００５０】
この構成によれば、ユーザーは、注入容器を記録装置の前方から凹部に差し込みやすくなる。これにより、記録装置の使い勝手が向上する。
（Ｄ）上記記録装置において、前記液体収容体は、前記注入部を露出させる開き位置と前記注入部を覆う閉じ位置との間で変位可能なカバー部材を有し、前記支持部は、前記開き位置に位置する前記カバー部材であってもよい。
【００５１】
この構成によれば、注入部を露出させたり覆ったりするカバー部材が支持部を兼ねることによって、支持部を別途設ける構成と比べて、記録装置の構成を簡易にできる。
（Ｅ）上記記録装置において、前記カバー部材は、前記液体収容体に液体を注入する姿勢となる前記注入容器と接触する支持面を有し、前記支持面は、凹むように湾曲する面であってもよい。
【００５２】
この構成によれば、例えば注入容器が円柱形状である場合に、カバー部材は、支持面によって注入容器を安定した状態で支持できる。
（Ｆ）上記記録装置は、前記キャリッジを収容する筐体と、前記筐体に取り付けられるカバーと、を備え、前記カバーは、前記筐体内を露出させる露出位置と前記筐体内を露出させない遮蔽位置との間で変位可能に構成され、前記支持部は、前記カバーに設けられ、前記注入容器の一部分を引っ掛けることが可能な窪みであってもよい。
【００５３】
この構成によれば、注入容器は、その一部分が窪みである支持部に引っ掛けられるだけで、液体収容体に液体を注入する姿勢で支持される。これにより、記録装置の使い勝手が向上する。
【符号の説明】
【００５４】
１１…記録装置、１２…筐体、１３…カバー、１４…操作部、１５…表示画面、１６…操作ボタン、１７…記録部、１８…キャリッジ、１９…排出カバー、２１…液体収容体、２２…窓、２３…開口、２４…注入部、２５…カバー部材、２５Ａ…基端部分、２５Ｂ…先端部分、２６…挿入穴、２７…凹部、２８…支持面、３１…支持部、９１…注入容器、９２…容器本体、９２Ａ…第１窄み部分、９２Ｂ…第２窄み部分、９３…注入口、９４…フック、９９…媒体。
【図１】
2020185758.tif 000003
【図２】
2020185758.tif 000004
【図３】
2020185758.tif 000005
【図４】
2020185758.tif 000006
【図５】
2020185758.tif 000007
【図６】
2020185758.tif 000008
【図７】
2020185758.tif 000009
【図８】
2020185758.tif 000010
【図９】
2020185758.tif 000011
【図１０】
2020185758.tif 000012
【図１１】
2020185758.tif 000013
【図１２】
2020185758.tif 000014
【図１３】
2020185758.tif 000015